(57)【特許請求の範囲】
【請求項１】
測位装置と無線通信装置とを具備する通信端末であって、
前記無線通信装置は、
無線基地局からの指示に応じて、所定無線品質の測定を行うように構成されている測定部と、
前記測位装置によって通知される前記通信端末の位置情報を取得するように構成されている取得部と、
前記通信端末の位置情報及び前記所定無線品質の測定結果を含む測定報告を、前記無線基地局に対して送信するように構成されている送信部と、
を具備し、
前記測位装置は、周期的に、前記無線通信装置に対して、前記通信端末の位置情報を送信するように構成され、
前記送信部は、前記通信端末の位置情報の変化量が所定閾値以下になった場合、前記測定報告を送信するように構成されている
ことを特徴とする通信端末。
【請求項２】
測位装置と無線通信装置とを具備する通信端末であって、
前記無線通信装置は、
無線基地局からの指示に応じて、所定無線品質の測定を行うように構成されている測定部と、
前記測位装置によって通知される前記通信端末の位置情報を取得するように構成されている取得部と、
前記通信端末の位置情報及び前記所定無線品質の測定結果を含む測定報告を、前記無線基地局に対して送信するように構成されている送信部と、
を具備し、
前記測位装置は、前記通信端末の位置情報と共に、時刻情報を通知するように構成され、
前記送信部は、前記通信端末の位置情報の変化量が所定閾値以下になった場合、前記測定報告を送信するように構成されている
ことを特徴とする通信端末。
【請求項３】
前記測定部は、前記時刻情報を用いて、前記通信端末の位置情報及び前記所定無線品質の測定結果を関連付ける前記測定報告を生成するように構成されていることを特徴とする請求項２に記載の通信端末。
【請求項４】
前記取得部は、前記測位装置に対して、前記通信端末の位置情報の要求を行う際に、前記測位装置との間で、前記時刻情報の同期を取るように構成されていることを特徴とする請求項２に記載の通信端末。
【請求項５】
車載型であることを特徴とすることを特徴とする請求項１〜４のいずれか１項に記載の通信端末。
【発明の詳細な説明】
【技術分野】
【０００１】
本発明は、測位装置と無線通信装置とを具備する通信端末に関する。
【背景技術】
【０００２】
３ＧＰＰにおいて、「ＭＤＴ（Ｍｉｎｉｍｉｓａｔｉｏｎ  ｏｆ  Ｄｒｉｖｅ  Ｔｅｓｔｓ）」について議論されている。【０００３】
「ＭＤＴ」は、通信事業者が従来行っていた電波状況の測定を、無線通信装置（ＵＥ：Ｕｓｅｒ  Ｅｑｕｉｐｍｅｎｔ）によって報告される電波状況の測定結果で代用するものであり、「Ｉｍｍｅｄｉａｔｅ  ＭＤＴ」及び「Ｌｏｇｇｅｄ  ＭＤＴ」を含む。【０００４】
「Ｉｍｍｅｄｉａｔｅ  ＭＤＴ」では、ネットワーク側で、「ＲＲＣ_ＣＯＮＮＥＣＴＥＤ」状態の無線通信装置からの測定報告を統計的に処理することで、電波状況を把握するように構成されている。かかる測定報告は、通常の「ＲＲＭ（Ｒａｄｉｏ  Ｒｅｓｏｕｒｃｅ  Ｍａｎａｇｅｍｅｎｔ）」用の測定報告を流用したもの或いは多少拡張したものとなる。【０００５】
一方、「Ｌｏｇｇｅｄ  ＭＤＴ」では、無線通信装置が、電波状況の測定結果を記憶しておき、後に、一連の測定結果を含む測定報告を送信するように構成されている。「Ｌｏｇｇｅｄ  ＭＤＴ」は、「ＲＲＣ_ＩＤＬＥ」状態の無線通信装置に適用することが決まっており、「ＲＲＣ_ＣＯＮＮＥＣＴＥＤ」状態の無線通信装置に適用するか否かについては決まっていない。
【先行技術文献】
【非特許文献】
【０００６】
【非特許文献１】３ＧＰＰ  ＴＲ３６.８０５  ｖ９.０.０
【発明の概要】
【発明が解決しようとする課題】
【０００７】
ここで、「ＭＤＴ」を有意義なものとするには、電波状況の測定結果に関連付けられた正確な無線通信装置の位置情報を取得することが必要である。【０００８】
現在、ＭＤＴでは、無線通信装置は、測定報告を行う際に、ベストエフォートで、無線通信装置の位置情報を報告することが想定されている。【０００９】
すなわち、ＭＤＴでは、無線通信装置は、電波状況の測定を行った際に取得した無線通信装置の位置情報が存在する場合には、かかる無線通信装置の位置情報を報告することが想定されている。【００１０】
しかしながら、従来のＭＤＴでは、電波状況を測定したタイミングと無線通信装置の位置情報を取得したタイミングとの間の時間差が大きいと、正確な電波状況を把握することができないという問題点があった。【００１１】
そこで、本発明は、上述の課題に鑑みてなされたものであり、正確な電波状況の把握を可能とすることができる通信端末を提供することを目的とする。
【課題を解決するための手段】
【００１２】
本発明の第１の特徴は、測位装置と無線通信装置とを具備する通信端末であって、前記無線通信装置は、無線基地局からの指示に応じて、所定無線品質の測定を行うように構成されている測定部と、前記測位装置によって通知される前記通信端末の位置情報を取得するように構成されている取得部と、前記通信端末の位置情報及び前記所定無線品質の測定結果を含む測定報告を、前記無線基地局に対して送信するように構成されている送信部とを具備することを要旨とする。
【発明の効果】
【００１３】
本発明によれば、正確な電波状況の把握が可能となる。
【図面の簡単な説明】
【００１４】
【図１】本発明の第１の実施形態に係る移動通信システムの全体構成図である。
【図２】本発明の第１の実施形態に係る通信端末の機能ブロック図である。
【図３】本発明の第１の実施形態に係る通信端末内の無線通信装置の機能ブロック図である。
【図４】本発明の第１の実施形態に係る移動通信システムの動作を説明するためのシーケンス図である。
【図５】本発明の変更例１に係る通信端末の機能ブロック図である。
【図６】本発明の変更例１に係る通信端末内の無線通信装置の機能ブロック図である。
【発明を実施するための形態】
【００１５】
（本発明の第１の実施形態に係る移動通信システム）
図１乃至図４を参照して、本発明の第１の実施形態に係る移動通信システムについて説明する。
【００１６】
図１に示すように、本実施形態に係る移動通信システムにおいて、通信端末１は、ＬＴＥ（Ｌｏｎｇ  Ｔｅｒｍ  Ｅｖｏｌｕｔｉｏｎ）方式の無線アクセスネットワーク装置である無線基地局ｅＮＢとの間で無線通信を行うように構成されている。
【００１７】
本実施形態に係る通信端末１は、例えば、車載型ナビゲーション装置を想定する。
【００１８】
図２に示すように、本実施形態に係る通信端末１は、無線通信アンテナ１１と、無線通信装置１２と、ＧＰＳ（Ｇｌｏｂａｌ  Ｐｏｓｉｔｉｏｎｉｎｇ  Ｓｙｓｔｅｍ）アンテナ１３と、測位装置１４と、アプリケーション処理装置１５と、ユーザインターフェイス１６とを具備している。
【００１９】
なお、本実施形態に係る通信端末１は、アプリケーション処理装置１５を具備せず、外部のアプリケーション処理装置と接続するように構成されていてもよい。
【００２０】
ここで、無線通信装置１２は、ＬＴＥ方式の移動通信システムにおける移動局ＵＥとしての機能、具体的には、ＭＴＣ（Ｍａｃｈｉｎｅ  Ｔｙｐｅ  Ｃｏｍｍｕｎｉｃａｔｉｏｎ）モジュールとしての機能を具備している。例えば、本実施形態に係る無線通信装置１２は、ユビキタスモジュールを想定する。
【００２１】
具体的には、図３に示すように、無線通信装置１２は、受信部１２Ａと、測定部１２Ｂと、取得部１２Ｃと、送信部１２Ｄとを具備している。
【００２２】
受信部１２Ａは、無線通信アンテナ１１を介して、無線基地局ｅＮＢによって送信された信号を受信するように構成されている。
【００２３】
例えば、移動局ＵＥが、無線アクセスネットワークＲＡＮ＃１配下のセル＃１において「ＲＲＣ_ＣＯＮＮＥＣＴＥＤ」状態である場合に、受信部１２Ａは、セル＃１を管理する無線基地局ｅＮＢから、ＲＲＣ（Ｒａｄｉｏ  Ｒｅｓｏｕｒｃｅ  Ｃｏｎｔｒｏｌ）信号として、「ＭＤＴ  Ｃｏｎｆｉｇｕｒａｔｉｏｎ」を受信するように構成されている。
【００２４】
測定部１２Ｂは、「ＭＤＴ  Ｃｏｎｆｉｇｕｒａｔｉｏｎ」によって指定されている測定方法によって、所望無線品質を測定し、かかる測定結果を含む「ＭＤＴ  Ｌｏｇ  Ｒｅｐｏｒｔ（測定報告）」を生成するように構成されている。
【００２５】
測定する無線品質には、現在のサービングセルや周辺セルの「Ｒｅｆｅｒｅｎｃｅ  Ｓｉｇｎａｌ  Ｒｅｃｅｉｖｅｄ  Ｐｏｗｅｒ（ＲＳＲＰ）」や「Ｒｅｆｅｒｅｎｃｅ  Ｓｉｇｎａｌ  Ｒｅｃｅｉｖｅｄ  Ｑｕａｌｉｔｙ（ＲＳＲＱ）」などが含まれてもよい。
【００２６】
また、測定部１２Ｂは、測位装置１４から通知されたタイムスタンプ（時刻情報）を用いて、通信端末１の位置情報及び所定無線品質の測定結果を関連付ける測定報告「ＭＤＴ  Ｌｏｇ  Ｒｅｐｏｒｔ」を生成するように構成されていてもよい。
【００２７】
ここで、測定部１２Ｂは、測位装置１４によって通信端末１の位置情報が通知されるタイミングで、所定無線品質を測定するように構成されていてもよい。
【００２８】
取得部１２Ｃは、測位装置１４から、通信端末１の位置情報を取得するように構成されている。
【００２９】
なお、取得部１２Ｃは、測位装置１４に対して、通信端末１の位置情報を通知するタイミング（例えば、周期）を設定するように構成されていてもよい。
【００３０】
また、取得部１２Ｃは、測位装置１４に対して、通信端末１の位置情報の要求を行う際に、測位装置１４との間で、時刻情報の同期を取るように構成されていてもよい。すなわち、取得部１２Ｃは、測位装置１４側で管理するクロックと無線通信装置１２側で管理するクロックとの対応を取るように構成されていてもよい。
【００３１】
送信部１２Ｄは、無線通信アンテナ１１を介して、無線基地局ｅＮＢに対して信号を送信するように構成されている。
【００３２】
例えば、移動局ＵＥが、「ＲＲＣ_ＣＯＮＮＥＣＴＥＤ」状態である場合に、送信部１２Ｄは、「ＭＤＴ  Ｃｏｎｆｉｇｕｒａｔｉｏｎ」によって指定されている報告方法によって、無線基地局ｅＮＢに対して、測定部１２Ｂによって生成された「ＭＤＴ  Ｌｏｇ  Ｒｅｐｏｒｔ」を送信するように構成されている。
【００３３】
また、送信部１２Ｄは、通信端末１の位置情報の変化量が所定閾値以下になった場合、上述の測定報告「ＭＤＴ  Ｌｏｇ  Ｒｅｐｏｒｔ」を送信するように構成されていてもよい。
【００３４】
なお、無線通信装置１２は、アプリケーションやデータのダウンロード処理やアップロード処理を行うように構成されていてもよい。
【００３５】
測位装置１４は、通信端末１の測位処理を行う、すなわち、通信端末１の位置情報（測位情報）を取得するように構成されている。例えば、本実施形態に係る測位装置１４は、ナビゲーションシステムを想定する。
【００３６】
具体的には、測位装置１４は、ＧＰＳアンテナ１３を介して、ＧＰＳを用いて、通信端末１の位置情報（測位情報）を取得するように構成されている。
【００３７】
或いは、測位装置１４は、ＬＣＳ（Ｌｏｃａｔｉｏｎ  Ｓｅｒｖｉｃｅｓ）等の他の方法を用いて、通信端末１の位置情報（測位情報）を取得するように構成されていてもよい。
【００３８】
また、測位装置１４は、周期的に、無線通信装置１２に対して、通信端末１の位置情報を送信するように構成されていてもよいし、無線通信装置１２によって設定されているタイミング（或いは、周期）で、無線通信装置１２に対して、通信端末１の位置情報を送信するように構成されていてもよい。
【００３９】
また、測定装置１４は、無線通信装置１２に対して、通信端末１の位置情報と共に、タイムスタンプを通知するように構成されていてもよい。
【００４０】
アプリケーション処理装置１５は、地図情報処理や音声ガイド処理や娯楽情報処理等のアプリケーション処理を行うように構成されている。
【００４１】
また、アプリケーション処理装置１５は、走行制御・監視装置２との間で、走行制御アプリケーションのダウンロード処理や、走行監視データのアップロード処理等を行うように構成されていてもよい。
【００４２】
ユーザインターフェイス１６は、地図表示処理や音声ガイド再生処理や音楽・ビデオ再生処理やコマンド入力処理等を行うように構成されている。
【００４３】
走行制御・監視装置２は、通信端末１が搭載されている車体の走行制御処理や走行状態監視処理を行うように構成されている。
【００４４】
以下、図４を参照して、本発明の第１の実施形態に係る移動通信システムの動作の一例について説明する。
【００４５】
図４に示すように、ステップＳ１００１において、通信端末１の電源が投入されると、ステップＳ１００２において、無線通信装置１２は、無線基地局ｅＮＢとの間で、ＲＲＣコネクションを確立し、「ＲＲＣ_ＩＤＬＥ」状態から「ＲＲＣ_ＣＯＮＮＥＣＴＥＤ」状態に遷移する。
【００４６】
ステップＳ１００３において、無線基地局ｅＮＢは、無線通信装置１２に対して、「ＭＤＴ  Ｃｏｎｆｉｇｕｒａｔｉｏｎ」を送信することによって、ＭＤＴに係る測定を開始するように要求する。
【００４７】
ステップＳ１００４において、無線通信装置１２は、無線基地局ｅＮＢとの間で確立されているＲＲＣコネクションを解放し、「ＲＲＣ_ＣＯＮＮＥＣＴＥＤ」状態から「ＲＲＣ_ＩＤＬＥ」状態に遷移する。
【００４８】
無線通信装置１２は、無線基地局ｅＮＢによって送信された「ＭＤＴ  Ｃｏｎｆｉｇｕｒａｔｉｏｎ」を受信すると、ステップＳ１００５において、測位装置１４に対して、測位要求を送信すると共に、ステップＳ１００６において、測位装置１４との間で、タイムスタンプ（時刻情報）の同期を取る。
【００４９】
ステップＳ１００７乃至Ｓ１０１１において、無線通信装置１２は、測位装置１４によって取得された通信端末１の位置情報（測位情報）を受信すると共に、「ＭＤＴ  Ｃｏｎｆｉｇｕｒａｔｉｏｎ」によって指定されている所定無線品質（電波状況）を測定し、両者を記憶しておく。
【００５０】
ステップＳ１０１２において、無線通信装置１２は、測位装置１４に対して、ＭＤＴに係る測定が完了したことを通知する。
【００５１】
ステップＳ１０１３において、無線通信装置１２は、「ＭＤＴ  Ｃｏｎｆｉｇｕｒａｔｉｏｎ」によって指定されているタイミングで、無線基地局ｅＮＢとの間で、ＲＲＣコネクションを確立し、「ＲＲＣ_ＩＤＬＥ」状態から「ＲＲＣ_ＣＯＮＮＥＣＴＥＤ」状態に遷移する。
【００５２】
ステップＳ１０１４において、無線通信装置１２は、無線基地局ｅＮＢに対して、上述の複数の通信端末１の位置情報及び所定無線品質の測定結果の組み合わせを含む「ＭＤＴ  Ｌｏｇ  Ｒｅｐｏｒｔ」を送信する。
【００５３】
ステップＳ１０１５において、無線通信装置１２は、無線基地局ｅＮＢとの間で確立されているＲＲＣコネクションを解放し、「ＲＲＣ_ＣＯＮＮＥＣＴＥＤ」状態から「ＲＲＣ_ＩＤＬＥ」状態に遷移する。
【００５４】
なお、本実施形態に係る通信端末１は、固定電源に接続されるように構成されていてもよい。かかる構成によれば、バッテリの懸念がなくなるため、測定頻度を多くすることができる。
【００５５】
本実施形態に係る通信端末１は、自動販売機或いはスマートメータに搭載されるように構成されていてもよい。かかる構成によれば、個人情報保護の観点から問題がなく、ＭＤＴを利用すること（すなわち、通信端末１の位置情報の二次利用すること）が可能になる。
【００５６】
（変更例１）
図５及び図６を参照して、本発明の変更例１に係る移動通信システムについて、上述の第１の実施形態に係る移動通信システムとの相違点に着目して説明する。
【００５７】
図５に示すように、本変更例１に係る通信端末１は、無線通信アンテナ１１と、無線通信装置１２と、アプリケーション処理装置１５と、ユーザインターフェイス１６とを具備している。
【００５８】
また、図６に示すように、本変更例１に係る通信端末１の無線通信装置１２は、受信部１２Ａと、測定部１２Ｂと、送信部１２Ｄと、記憶部１２Ｅとを具備している。
【００５９】
ここで、本変更例１に係る通信端末１は、自動販売機或いはスマートメータに搭載されことを想定されている。したがって、図５に示すように、本変更例１に係る通信端末１には、図２に示す測位装置１４が設けられていない。その代わり、記憶部１２Ｅは、予め通信端末１の位置情報を記憶するように構成されている。
【００６０】
なお、本変更例１に係る通信端末１は、固定電源に接続されるように構成されていてもよい。かかる構成によれば、バッテリの懸念がなくなるため、測定頻度を多くすることができる。
【００６１】
本発明の変更例１に係る移動通信システムによれば、無線通信装置１２が、測位装置１４から、通信端末１の位置情報を取得するタイミングで、所定無線品質の測定を行うように構成されているため、電波状況の測定タイミングと無線通信装置の位置情報の取得タイミングとの間の時間差を小さくすることができ、正確な電波状況の把握を可能とすることができる。
【００６２】
本発明の変更例１に係る移動通信システムによれば、測位装置１４が、無線通信装置１２によって設定されたタイミングで測位を行うだけでよいため、バッテリ消耗を著しくすることなく、正確な電波状況の把握を可能とすることができる。
【００６３】
以上に述べた本実施形態の特徴は、以下のように表現されていてもよい。
【００６４】
本実施形態の第１の特徴は、測位装置１４と無線通信装置１２とを具備する通信端末１であって、無線通信装置１２は、無線基地局ｅＮＢからの指示「ＭＤＴ  Ｃｏｎｆｉｇｕｒａｔｉｏｎ」に応じて、所定無線品質の測定を行うように構成されている測定部１２Ｂと、測位装置１４によって通知される通信端末１の位置情報を取得するように構成されている取得部１２Ｃと、通信端末１の位置情報及び所定無線品質の測定結果を含む測定報告「ＭＤＴ  Ｌｏｇ  Ｒｅｐｏｒｔ」を、無線基地局ｅＮＢに対して送信するように構成されている送信部１２Ｄとを具備することを要旨とする。
【００６５】
本実施形態の第１の特徴において、測位装置１４は、周期的に、無線通信装置１２に対して、通信端末１の位置情報を送信するように構成されていてもよい。
【００６６】
本実施形態の第１の特徴において、取得部１２Ｃは、測位装置１４に対して、通信端末１の位置情報を通知するタイミングを設定するように構成されていてもよい。
【００６７】
本実施形態の第１の特徴において、測定部１２Ｂは、測位装置１４によって通信端末１の位置情報が通知されるタイミングで、所定無線品質を測定するように構成されていてもよい。
【００６８】
本実施形態の第１の特徴において、測定装置１４は、通信端末１の位置情報と共に、時刻情報を通知するように構成されていてもよい。
【００６９】
本実施形態の第１の特徴において、測定部１２Ｂは、時刻情報を用いて、通信端末１の位置情報及び所定無線品質の測定結果を関連付ける測定報告「ＭＤＴ  Ｌｏｇ  Ｒｅｐｏｒｔ」を生成するように構成されていてもよい。
【００７０】
本実施形態の第１の特徴において、取得部１２Ｃは、測位装置１４に対して、通信端末１の位置情報の要求を行う際に、測位装置１４との間で、時刻情報の同期を取るように構成されていてもよい。
【００７１】
本実施形態の第１の特徴において、送信部１２Ｄは、通信端末１の位置情報の変化量が所定閾値以下になった場合、上述の測定報告「ＭＤＴ  Ｌｏｇ  Ｒｅｐｏｒｔ」を送信するように構成されていてもよい。
【００７２】
本実施形態の第１の特徴において、通信端末１は、車載型であってもよい。
【００７３】
本実施形態の第２の特徴は、無線通信装置１２を具備する通信端末１であって、無線通信装置１２は、無線基地局ｅＮＢからの指示「ＭＤＴ  Ｃｏｎｆｉｇｕｒａｔｉｏｎ」に応じて、所定無線品質の測定を行うように構成されている測定部１２Ｂと、通信端末１の位置情報を記憶するように構成されている記憶部１２Ｄと、通信端末１の位置情報及び所定無線品質の測定結果を含む測定報告「ＭＤＴ  Ｌｏｇ  Ｒｅｐｏｒｔ」を、無線基地局ｅＮＢに対して送信するように構成されている送信部１２Ｄとを具備することを要旨とする。
【００７４】
本実施形態の第１及び第２の特徴において、通信端末１は、固定電源に接続されるように構成されていてもよい。
【００７５】
本実施形態の第１及び第２の特徴において、通信端末１は、自動販売機に搭載されるように構成されていてもよい。
【００７６】
本実施形態の第１及び第２の特徴において、通信端末１は、スマートメータに搭載されるように構成されていてもよい。
【００７７】
なお、上述の無線基地局ｅＮＢや通信端末１の動作は、ハードウェアによって実施されてもよいし、プロセッサによって実行されるソフトウェアモジュールによって実施されてもよいし、両者の組み合わせによって実施されてもよい。
【００７８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや通信端末１内に設けられていてもよい。また、かかる記憶媒体及びプロセッサは、ディスクリートコンポーネントとして無線基地局ｅＮＢや通信端末１内に設けられていてもよい。
【００８０】
以上、上述の実施形態を用いて本発明について詳細に説明したが、当業者にとっては、本発明が本明細書中に説明した実施形態に限定されるものではないということは明らかである。本発明は、請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図１】
0005608750.tif 000002
【図２】
0005608750.tif 000003
【図３】
0005608750.tif 000004
【図４】
0005608750.tif 000005
【図５】
0005608750.tif 000006
【図６】
0005608750.tif 000007